(57)【要約】【課題】ゴムリングの組み付け作業性を向上させる。【解決手段】本発明は、相手側コネクタと嵌合可能な防水コネクタであって、両ハウジング３０，４０と、このアウタハウジング４０に組み付けられ、相手側コネクタを両ハウジング３０，４０側に引き寄せ可能なスライドレバー５０とを備え、インナハウジング３０には、嵌合状態において相手側コネクタとの間を液密状にシールするゴムリング７０が装着されており、このゴムリング７０は、略筒状をなすシール部７１と、スライドレバー５０に対して嵌合方向に係止可能なゴムリング係止部７２とを備えて構成され、ゴムリング７０が装着された両ハウジング３０，４０に対してスライドレバー５０を組み付けることでゴムリング係止部７２がスライドレバー５０に係止し、シール部７１がインナハウジング３０に保持される構成としたところに特徴を有する。【選択図】図２
2012094391.tif 000002
【特許請求の範囲】
【請求項１】
相手側コネクタと嵌合可能な防水コネクタであって、
ハウジングと、このハウジングに組み付けられ、前記相手側コネクタを前記ハウジング側に引き寄せ可能なレバーとを備え、
前記ハウジングには、嵌合状態において前記相手側コネクタとの間を液密状にシールするゴムリングが装着されており、このゴムリングは、略筒状をなすシール部と、前記レバーに対して嵌合方向に係止可能なゴムリング係止部とを備えて構成され、
前記ゴムリングが装着された前記ハウジングに対して前記レバーを組み付けることで前記ゴムリング係止部が前記レバーに係止し、前記シール部が前記ハウジングに保持されることを特徴とする防水コネクタ。
【請求項２】
前記レバーは、前記嵌合方向と交差する方向にスライド操作可能なスライドレバーであって、このスライドレバーには、そのスライド方向に延びる保持溝が形成されており、前記スライドレバーを前記ハウジングに組み付けることに伴って前記ゴムリング係止部が前記保持溝の内壁に対して前記嵌合方向に係止することを特徴とする請求項１に記載の防水コネクタ。
【請求項３】
前記ハウジングには、前記レバーを内部に収容するレバー収容部が設けられており、前記ゴムリング係止部は、前記レバー収容部の内部に達する長さをもって形成されており、前記レバーを前記レバー収容部の内部に装着することで前記ゴムリング係止部が前記レバーに係止することを特徴とする請求項１または請求項２に記載の防水コネクタ。
【請求項４】
前記ハウジングには、前記相手側コネクタに設けられたフード部を収容する空間が設けられており、前記レバー収容部は、前記空間に収容された前記フード部の外側に配置され、前記レバー収容部における前記空間側に、前記ゴムリングを前記ハウジングに装着する際に前記ゴムリング係止部を通過させる挿通路が形成されていることを特徴とする請求項３に記載の防水コネクタ。
【請求項５】
前記ハウジングは、前記シール部が外周面に嵌着されるインナハウジングと、このインナハウジングが内部に装着されるアウタハウジングとからなり、前記インナハウジングは、前記相手側コネクタとの嵌合の際に前記保持溝によって定位置に保持されることを特徴とする請求項２ないし請求項４のいずれか一項に記載の防水コネクタ。
【発明の詳細な説明】
【技術分野】
【０００１】
本発明は、相手側コネクタと嵌合可能な防水コネクタに関する。
【背景技術】
【０００２】
この種の防水コネクタとしては、例えば特許文献１に記載のものが知られている。この防水コネクタは合成樹脂製のハウジングを有し、このハウジングは、端子金具が保持されたインナハウジングと、このインナハウジングの外周に、所定の間隔を空けて配置されたアウタハウジングとから構成されている。一方、相手側コネクタは前方に開口するフード部を有し、防水コネクタとの嵌合に伴ってフード部がインナハウジングとアウタハウジングとの間に嵌合するようになっている。
【０００３】
また、インナハウジングの外面には環状のゴムリングが嵌着されている。このゴムリングにはゴムリング係止部が後方に突出して設けられている。このゴムリング係止部は、ハウジングの奥壁に設けられた貫通孔に挿入可能とされている。ゴムリング係止部は、弾性変形しながら貫通孔に進入し、正規の挿入位置に至ると弾性復帰して貫通孔の開口縁部に対して後方から係止する。これにより、ゴムリングがハウジングに対して固定されるようになっている。
【先行技術文献】
【特許文献】
【０００４】
【特許文献１】特開２００６−１５６０８１号公報
【発明の概要】
【発明が解決しようとする課題】
【０００５】
上記のゴムリング係止部によると、強い保持力を得ることができる反面、ゴムリングをインナハウジングに装着するにあたっては、組み付け治具などを用いてゴムリング係止部を貫通孔に押し込んで固定する必要があるため、組み付け作業性がよくない。このため、作業者による組み付け作業のバラツキが大きくなり、例えばゴムリング係止部が貫通孔を完全に貫通しない状態で組み付け治具による押し込み作業を止めてしまった場合には不完全な係止状態となってゴムリングの保持力が低下することも考えられる。
【０００６】
本発明は上記のような事情に基づいて完成されたものであって、ゴムリングの組み付け作業性を向上させることを目的とする。
【課題を解決するための手段】
【０００７】
本発明は、相手側コネクタと嵌合可能な防水コネクタであって、ハウジングと、このハウジングに組み付けられ、相手側コネクタをハウジング側に引き寄せ可能なレバーとを備え、ハウジングには、嵌合状態において相手側コネクタとの間を液密状にシールするゴムリングが装着されており、このゴムリングは、略筒状をなすシール部と、レバーに対して嵌合方向に係止可能なゴムリング係止部とを備えて構成され、ゴムリングが装着されたハウジングに対してレバーを組み付けることでゴムリング係止部がレバーに係止し、シール部がハウジングに保持される構成としたところに特徴を有する。
【０００８】
このような構成によると、レバーをハウジングに組み付けるだけでゴムリング係止部をレバーに対して嵌合方向に係止させることができるため、組み付け治具などを用いることなくゴムリングをハウジングに対して固定することができる。したがって、ゴムリングの組み付け作業性を向上させることができる。
【０００９】
本発明の実施の態様として、以下の構成が好ましい。
レバーは、嵌合方向と交差する方向にスライド操作可能なスライドレバーであって、このスライドレバーには、そのスライド方向に延びる保持溝が形成されており、スライドレバーをハウジングに組み付けることに伴ってゴムリング係止部が保持溝の内壁に対して嵌合方向に係止する構成としてもよい。
このような構成によると、保持溝がスライドレバーのスライド方向に延びる形態とされているため、スライドレバーの操作位置にかかわらずゴムリング係止部を保持溝の内壁に係止させることができる。
【００１０】
ハウジングには、レバーを内部に収容するレバー収容部が設けられており、ゴムリング係止部は、レバー収容部の内部に達する長さをもって形成されており、レバーをレバー収容部の内部に装着することでゴムリング係止部がレバーに係止する構成としてもよい。
このような構成によると、ゴムリング係止部を長めに形成すればよく、レバーからゴムリング係止部に向けて突起などを設けなくてもよいため、レバーの構成を簡素化できる。
【００１１】
ハウジングには、相手側コネクタに設けられたフード部を収容する空間が設けられており、レバー収容部は、空間に収容されたフード部の外側に配置され、レバー収容部における空間側に、ゴムリングをハウジングに装着する際にゴムリング係止部を通過させる挿通路が形成されている構成としてもよい。
このような構成によると、ゴムリング係止部を挿通路に通過させながらゴムリングをハウジングに装着することができるため、ゴムリングの組み付け作業性を向上させることができる。
【００１２】
ハウジングは、シール部が外周面に嵌着されるインナハウジングと、このインナハウジングが内部に装着されるアウタハウジングとからなり、インナハウジングは、相手側コネクタとの嵌合の際に保持溝によって定位置に保持される構成としてもよい。
このような構成によると、保持溝によってインナハウジングをレバーに対して定位置に保持することができる。一方、ゴムリング係止部はレバーに係止されているため、ゴムリングがインナハウジングに対して嵌合方向に位置ずれすることを規制できる。
【発明の効果】
【００１３】
本発明によれば、ゴムリングの組み付け作業性を向上させることができる。
【図面の簡単な説明】
【００１４】
【図１】実施形態１における防水コネクタの正面図
【図２】図１におけるＡ−Ａ線断面図
【図３】アウタハウジングの正面図
【図４】インナハウジングの正面図
【図５】ゴムリングをインナハウジングに対して前側から装着する様子を示した図
【図６】ゴムリングの正面図
【図７】ゴムリングの左側面図
【図８】スライドレバーの正面図
【図９】図８におけるＢ−Ｂ線断面図
【図１０】実施形態２における防水コネクタの内部構造を示した図であって、図２に対応する断面図
【発明を実施するための形態】
【００１５】
＜実施形態１＞
本発明の実施形態１を図１ないし図９の図面を参照しながら説明する。本実施形態における防水コネクタ１０は、図１に示すように、端子金具２０を内部に収容してなるインナハウジング３０と、このインナハウジング３０を内部に装着してなるアウタハウジング４０と、相手側コネクタ（図示せず）との嵌合作業および離脱作業を補助する倍力機構としてのスライドレバー５０とを備えて構成されている。なお、以下において前後方向とは図１における紙面と直交する方向を基準として相手側コネクタとの嵌合面側を前側とし、また、上下方向および左右方向については図１を基準として説明する。
【００１６】
端子金具２０は、図２に示すように、角筒状をなす接続部２１を有し、この接続部２１の後方にワイヤバレル部２２、インシュレーションバレル部２３がこの順に配置された構成である。この端子金具２０は、電線Ｗの端末部分に接続されており、端子金具２０の後方に連なる位置には、ゴム栓６０が電線Ｗの外周面に被着されている。
【００１７】
接続部２１は、前後方向に貫通する形態をなし、その前縁から後方に折り返すことによって形成された弾性接触片２４を有している。この弾性接触片２４は、撓み可能に設けられている。相手側コネクタに設けられた雄型の相手側端子金具は、両コネクタ１０の嵌合に伴って接続部２１の前端開口から内部に進入し、弾性接触片２４と弾性的に接触する。これにより、端子金具２０と相手側端子金具が導通可能に接続される。
【００１８】
ワイヤバレル部２２は、電線Ｗの端末にてその絶縁被覆を皮剥きすることにより露出された芯線をかしめ付ける一対のかしめ片を有している。両かしめ片によって電線Ｗの芯線が圧着されることにより、端子金具２０と電線Ｗが導通可能に接続される。
【００１９】
インシュレーションバレル部２３は、ゴム栓６０ともども電線Ｗの絶縁被覆を両側から抱き込むようにして保持する一対の抱持片を有している。両抱持片によってゴム栓６０および電線Ｗの絶縁被覆がともに圧着されることにより、ゴム栓６０が端子金具２０に固着されている。
【００２０】
インナハウジング３０は合成樹脂製であって、図１および図２に示すように、横長のブロック状をなしている。インナハウジング３０の内部には、前後方向に貫通する形態をなす複数のキャビティ３１が形成されている。これらのキャビティ３１は、図４に示すように、小型の端子金具２０を収容する複数の小キャビティと、大型の端子金具２０を収容する複数の大キャビティとを備えて構成され、小キャビティ群の左右両側に、一対の大キャビティがそれぞれ配置されている。
【００２１】
キャビティ３１の内壁には、図２に示すように、端子金具２０の後方への抜け止めを行うランス３２が形成されている。このランス３２は、キャビティ３１の内壁から片持ち状をなして前方に突出する形態をなしている。キャビティ３１の内部構造は、具体的には、接続部２１を収容する前側収容部と、ゴム栓６０および両バレル部２２，２３を収容する後側収容部とからなり、後側収容部が前側収容部よりも大きめに設定されている。
【００２２】
前側収容部の内壁と接続部２１との間には、所定のクリアランスが設けられている。このクリアランスは、接続部２１とランス３２との係止代よりも小さめとされている。したがって、接続部２１を前側収容部に対して容易に挿入することができるとともに、接続部２１のガタツキによって接続部２１とランス３２との係止状態が解除されることはない。
【００２３】
後側収容部は、ゴム栓６０を圧縮状態で内部に収容できる程度の大きさとされている。これにより、ゴム栓６０が後側収容部の内部に収容された状態では、ゴム栓６０が電線Ｗの外周面と後側収容部の内周面とに密着し、キャビティ３１の後方から内部に水が浸入することを規制できる。
【００２４】
インナハウジング３０の外面における幅方向両側には、図５に示すように、一対の係止片３３が設けられている。両係止片３３は、アウタハウジング４０の内面における幅方向両側に設けられた被係止部４１に対して前後方向に係止可能とされている。インナハウジング３０をアウタハウジング４０に対して嵌合方向前側から組み付けると、両係止片３３が両被係止部４１に係止することにより、インナハウジング３０がアウタハウジング４０に対して抜け止め状態で装着される。
【００２５】
なお、インナハウジング３０の内部には、リテーナ３４が装着されている。このリテーナ３４は格子状をなし、端子金具２０のキャビティ３１への進入を許容する仮係止位置と、ランス３２とともに端子金具２０の抜け止めを行う本係止位置との間を移動可能とされている。
【００２６】
インナハウジング３０の外周面には、図４に示すように、奥壁３５が周設されている。この奥壁３５は、図１に示すように、インナハウジング３０とアウタハウジング４０との間に形成された空間Ｓの後端部分を構成している。この空間Ｓには、相手側コネクタに設けられたフード部（図示せず）が進入可能とされている。また、奥壁３５は、インナハウジング３０の後端部寄りに配置されている。
【００２７】
奥壁３５には、４つの装着部３６がそれぞれ設けられている。各装着部３６は、インナハウジング３０の上面側に一対が配置され、下面側に一対が配置されている。また、各装着部３６は、インナハウジング３０における左右方向の両端部寄りにそれぞれ配置されている。また、各装着部３６は、図５に示すように、奥壁３５の一部を切り欠くことで形成され、左右方向において両係止片３３と対応する位置に配置されている。
【００２８】
各装着部３６は、詳細には図４に示すように、奥壁３５の突出端を超えない高さ範囲内でインナハウジング３０の外面から上下方向に突出して形成されている。また、各装着部３６の前後方向における寸法は、図５に示すように、奥壁３５の前後方向における寸法の半分程度に設定されている。このため、各装着部３６は、奥壁３５の外面よりも奥まって配置されている。換言すると、各装着部３６は、左右方向の両端部がそれぞれ奥壁３５に連結された状態で、奥壁３５の板厚の範囲内に収容されている。
【００２９】
アウタハウジング４０は合成樹脂製であって、図３に示すように、左右方向に長い略方形をなす外形を有し、かつ、前後方向に貫通する角筒状をなしている。すなわち、アウタハウジング４０の内部には、左右方向に長い長孔形状をなすハウジング装着孔４２が形成されており、このハウジング装着孔４２の内部にインナハウジング３０が装着可能とされている。前記した一対の被係止部４１は、ハウジング装着孔４２の内壁における左右両側にはそれぞれ設けられている。したがって、インナハウジング３０の係止片３３がアウタハウジング４０の被係止部４１に対して前後方向に係止することにより、インナハウジング３０がハウジング装着孔４２の内部に保持される。
【００３０】
アウタハウジング４０における上下両側には、一対のレバー収容部４３が設けられている。ここで、スライドレバー５０の構成を図８によって簡単に説明すると、スライドレバー５０は、操作部５１の両端から一対のカム板５２を対向状態で立ち上げることで構成され、全体として略門形をなしている。操作部５１は、図１に示すように、スライドレバー５０がアウタハウジング４０に対して完全に押し込まれた状態ではアウタハウジング４０の外側面に沿って配置されるようになっている。一方、両カム板５２は、図２に示すように、両レバー収容部４３の内部にそれぞれ収容されている。
【００３１】
カム板５２には、図９に示すように、相手側コネクタに設けられたカムピン（図示せず）を内部に収容可能とするカム溝５３が弧状をなして凹設されており、カムピンとカム溝５３の係合に基づくカム作用によって両コネクタ１０が嵌合、離脱するようになっている。また、カム板５２には、インナハウジング３０の上下両面に設けられた一対の保持ピン３７を内部に収容可能とする保持溝５４が左右方向（スライド方向）に延びる直線状をなして凹設されており、両コネクタ１０の嵌合、離脱の際にインナハウジング３０がアウタハウジング４０に対して前後方向に移動することを規制している。
【００３２】
保持溝５４は、カム板５２の先端側（操作部５１とは反対側）の端部に開口する形態とされている。このため、カム板５２をレバー収容部４３の内部に挿入した際に、保持溝５４の端部開口から保持ピン３７が保持溝５４に進入し、保持ピン３７が保持溝５４の内壁と前後方向に係止するようになっている。
【００３３】
また、図３に示すように、ハウジング装着孔４２の内面には、複数のガイド溝４５が凹設されている。ガイド溝４５は全部で４つ設けられており、図３に示すように、ハウジング装着孔４２の上側における左右二箇所と、下側における左右二箇所とに配置されている。これらのガイド溝４５は、ハウジング装着孔４２側と前側とに開口する形態とされている。これらのガイド溝４５は、相手側コネクタに設けられたガイド突部（図示せず）が進入可能とされている。このため、両コネクタ１０を嵌合させる際に、ガイド突部がガイド溝４５に進入し、両コネクタ１０の嵌合動作が案内される。
【００３４】
ガイド溝４５は、図２に示すように、レバー収容部４３における空間Ｓ側に設けられており、レバー収容部４３の内部と空間Ｓとを連通させている。このガイド溝４５は、アウタハウジング４０の前面から後側に切り欠かれることで前後方向に延びて形成されている。ガイド溝４５の後端には、装着部３６と上下方向に対向する対向壁４４が形成されている。この対向壁４４は、レバー収容部４３の一部を構成している。すなわち、ガイド溝４５は、装着部３６と対向する位置に対向壁４４を残しつつ、その対向壁４４の前方に形成されている。対向壁４４の前端と装着部３６の前端とは、上下方向に揃う配置とされている。
【００３５】
さらに、対向壁４４の後端には、装着部３６を回り込むようにしてインナハウジング３０に向けて張り出す後壁４６が設けられている。この後壁４６は、図３に示すように、アウタハウジング４０のハウジング装着孔４２の内面に沿って周方向に長く延びており、アウタハウジング４０の四隅に対応して４箇所に分離して配置されている。
【００３６】
さて、図２に示すように、本実施形態においては、インナハウジング３０の外周面にゴムリング７０が装着されており、スライドレバー５０をアウタハウジング４０に組み付けることによってゴムリング７０が定位置に保持されるようになっている。ゴムリング７０は、インナハウジング３０の外周面に嵌着されたシール部７１と、保持溝５４に嵌合するゴムリング係止部７２とを一体に備えて構成されている。
【００３７】
シール部７１は略筒状をなし、装着部３６よりも前側に配置されている。また、シール部７１は複数のリップを有し、これらのリップは、両コネクタ１０が嵌合した状態においてインナハウジング３０の外周面と相手側コネクタのフード部の内周面とに密着している。これにより、両コネクタ１０間が液密状にシールされ、インナハウジング３０の内部への浸水が規制されるようになっている。
【００３８】
ゴムリング係止部７２は、各装着部３６に対応して４箇所に配置されている。また、ゴムリング係止部７２は、シール部７１の後端から上下方向に立ち上がる立壁部７２Ａと、この立壁部７２Ａから前方に延出されてシール部７１と上下方向に対向した状態で配置された対向部７２Ｂとからなる。すなわち、ゴムリング係止部７２は、全体として断面略Ｌ字状をなしている。立壁部７２Ａは、対向部７２Ｂがレバー収容部４３の内部に収容される長さをもって形成されている。
【００３９】
また、対向部７２Ｂは、保持溝５４に嵌合する位置に配置されている。換言すると、対向部７２Ｂは、保持ピン３７と左右方向に並ぶ配置とされている。したがって、インナハウジング３０にゴムリング７０を装着し、このインナハウジング３０をアウタハウジング４０に対して前側から装着し、このアウタハウジング４０に対してスライドレバー５０を組み付けると、保持溝５４の端部開口から対向部７２Ｂが保持溝５４の内部に進入し、対向部７２Ｂを保持溝５４に嵌合させることができる。これにより、対向部７２Ｂが保持溝５４の内壁に対して前後方向に係止することで、ゴムリング７０が定位置に保持されるようになっている。すなわち、組み付け治具などを用いてゴムリング７０をインナハウジング３０に組み付ける必要がなく、ゴムリング７０の組み付け作業性を格段に向上させることができる。
【００４０】
ゴムリング係止部７２による保持力は、両コネクタ１０を離脱させた場合に、対向部７２Ｂが保持溝５４から外れない程度に設定されている。これとは逆に、両コネクタ１０を嵌合させた場合は、シール部７１がフード部によって後方に押し込まれるものの、シール部７１の後方への移動が装着部３６によって規制されることになる。これと同時に、立壁部７２Ａの後方への移動は、対向壁４４によって規制される。加えて、インナハウジング３０の保持ピン３７がカム板５２の保持溝５４に嵌り込んでおり、インナハウジング３０の前後方向における位置が固定されているため、ゴムリング７０のインナハウジング３０に対する位置ずれも規制される。
【００４１】
本実施形態は以上のような構成であって、続いてその作用を説明する。まず、ゴムリング７０をインナハウジング３０の外周面に嵌着し、このインナハウジング３０をハウジング装着孔４２の内部に前側から組み付ける。このとき、ゴムリング係止部７２は、レバー収容部４３の前壁によってインナハウジング３０側に撓み変形しつつ、この前壁を通過すると、弾性的に復帰して対向部７２Ｂがレバー収容部４３の内部に収容される。一方、立壁部７２Ａは、空間Ｓからガイド溝４５にかけての領域に収容される。この状態で、インナハウジング３０を後方へ押し込むと、両係止片３３が両被係止部４１に係止することでインナハウジング３０がハウジング装着孔４２の内部に保持される。この間、組み付け治具などを用いてゴムリング７０を押し込む必要がないため、インナハウジング３０の組み付け作業を容易に行うことができる。
【００４２】
次に、アウタハウジング４０の両レバー収容部４３に、スライドレバー５０の両カム板５２を挿入し、スライドレバー５０を初期位置にセットする。スライドレバー５０の組み付けに伴って、ゴムリング係止部７２の対向部７２Ｂが保持溝５４に進入するため、対向部７２Ｂが保持溝５４の内壁に対して前後方向に係止することで、シール部７１がインナハウジング３０に固定される。これに併行して、インナハウジング３０の保持ピン３７も保持溝５４に進入し、保持ピン３７が保持溝５４の内壁に対して前後方向に係止する。この結果、ゴムリング７０とインナハウジング３０の双方がスライドレバー５０に対して定位置に保持される。すなわち、ゴムリング７０がインナハウジング３０に対して定位置に保持される。このようにすると、組み付け治具などを用いてシール部７１をインナハウジング３０に固定する必要がなく、ゴムリング７０の組み付け作業性を格段に向上させることができる。
【００４３】
スライドレバー５０が初期位置にセットされた状態では、カム板５２のカム溝５３がカムピンを受け入れ可能な位置に配置されており、両コネクタ１０を浅く嵌合させると、相手側コネクタのカムピンがカム溝５３の入口に進入する。そして、スライドレバー５０を初期位置から嵌合位置へ押し込むと、カムピンがカム溝５３に沿ってその終端側へ移動し、これに伴って相手側コネクタが防水コネクタ１０側に引き寄せられることで、両コネクタ１０が正規嵌合に至る。この間、保持ピン３７が保持溝５４に嵌合しているため、インナハウジング３０を定位置に保持することができる。また、対向部７２Ｂが保持溝５４に嵌合しているため、ゴムリング７０を定位置に保持することができる。つまり、ゴムリング７０は、スライドレバー５０とアウタハウジング４０を介してインナハウジング３０に保持されており、ゴムリング７０をインナハウジング３０に対して定位置に保持できることになる。
【００４４】
以上のように本実施形態では、ゴムリング７０が装着されたインナハウジング３０をアウタハウジング４０に組み付け、このアウタハウジング４０に対してスライドレバー５０を組み付けるだけで、ゴムリング７０の組み付け作業が完了する。また、ガイド溝４５およびレバー収容部４３の内部にゴムリング係止部７２を通過させながら、インナハウジング３０をアウタハウジング４０に組み付けることができるため、組み付け治具などでゴムリング７０を押し込む必要がない。つまり、組み付け治具などを用いてゴムリング７０を固定する必要はなく、スライドレバー５０をレバー収容部４３の内部に組み付けるだけでゴムリング７０を両ハウジング３０，４０に固定することができるため、ゴムリング７０の組み付け作業性を向上させることができる。
【００４５】
ゴムリング係止部７２の対向部７２Ｂを保持溝５４に嵌合させ、対向部７２Ｂを保持溝５４の内壁に対して前後方向に係止させるようにしたから、ゴムリング７０をスライドレバー５０に保持することができる。同時に、インナハウジング３０の保持ピン３７を保持溝５４の内壁に対して前後方向に係止させるようにしたから、インナハウジング３０をスライドレバー５０に保持することができる。この結果、ゴムリング７０のシール部７１をインナハウジング３０に対して位置決め状態で保持することができる。
【００４６】
＜実施形態２＞
次に、本発明の実施形態２について図１０の図面を参照しながら説明する。本実施形態における防水コネクタ１１は、実施形態１におけるインナハウジング３０とアウタハウジング４０を一体に形成したものであり、その他の構成、作用、および効果については同様であるため、重複する説明については省略するものとする。また、実施形態１と同じ構成については、同一の符号を付すものとする。
【００４７】
本実施形態の防水コネクタ１１は、実施形態１のインナハウジング３０とアウタハウジング４０に相当する単一のハウジング８０を有している。実施形態１における装着部３６と対向壁４４と後壁４６は一体に構成されることで、空間Ｓの奥壁８１が構成されている。このような構成によると、実施形態１のように、インナハウジング３０のアウタハウジング４０に対するガタツキを考慮する必要がないため、保持溝５４に嵌合可能な保持ピンを設ける必要がない。したがって、ハウジング８０の構成を簡素化することができる。
【００４８】
＜他の実施形態＞
本発明は上記記述及び図面によって説明した実施形態に限定されるものではなく、例えば次のような実施形態も本発明の技術的範囲に含まれる。
（１）上記実施形態ではスライドレバー５０を用いているものの、本発明によると、回動式のレバーを用いてもよい。
【００４９】
（２）上記実施形態では保持溝５４が空間Ｓ側に開口する凹状とされているものの、本発明によると、あり溝状の保持溝を形成してもよい。
【００５０】
（３）上記実施形態ではガイド溝４５にゴムリング係止部７２が挿通されるようにしているものの、本発明によると、ガイド溝４５とは別に、ゴムリング係止部７２を通過させる挿通路を設けてもよい。
【００５１】
（４）上記実施形態ではゴムリング係止部７２の立壁部７２Ａがレバー収容部４３の内部に達する長さをもって形成されているものの、本発明によると、例えばスライドレバー５０のカム板５２からゴムリング係止部７２側に延びる突起を設け、この突起をゴムリング係止部に対して前後方向に係止させてもよい。
【符号の説明】
【００５２】
１０…防水コネクタ
３０…インナハウジング
３６…装着部
４０…アウタハウジング
４３…レバー収容部
４５…ガイド溝（挿通路）
５０…スライドレバー
５４…保持溝
７０…ゴムリング
７１…シール部
７２…ゴムリング係止部
Ｓ…空間
【図１】
2012094391.tif 000003
【図２】
2012094391.tif 000004
【図３】
2012094391.tif 000005
【図４】
2012094391.tif 000006
【図５】
2012094391.tif 000007
【図６】
2012094391.tif 000008
【図７】
2012094391.tif 000009
【図８】
2012094391.tif 000010
【図９】
2012094391.tif 000011
【図１０】
2012094391.tif 000012